(57)【要約】【課題】可動ミラーが上昇して停止する場合の振動および音を抑制する。【解決手段】ミラーユニットであって、観察位置と撮影位置との間を往復回動するミラー部材と、ミラー部材を観察位置から撮影位置まで駆動するとともに、駆動中にミラー部材が撮影位置に到達する前に、シャッタの機械的な係止を解放するシャッタリリース部を押し動かすミラー駆動部とを備える。上記ミラーユニットにおいて、ミラー駆動部は、ミラー部材に駆動力を伝える駆動レバーと、駆動レバーと連動して、駆動レバーの駆動力の一部をシャッタリリース部に伝達する連動レバーとを有してもよい。【選択図】図４
2013083857.tif 000002
【特許請求の範囲】
【請求項１】
観察位置と撮影位置との間を往復回動するミラー部材と、
前記ミラー部材を前記観察位置から前記撮影位置まで駆動するとともに、駆動中に前記ミラー部材が前記撮影位置に到達する前に、シャッタの機械的な係止を解放するシャッタリリース部を押し動かすミラー駆動部と
を備えるミラーユニット。
【請求項２】
前記ミラー駆動部は、
前記ミラー部材に駆動力を伝える駆動レバーと、
前記駆動レバーと連動して、前記駆動レバーの駆動力の一部を前記シャッタリリース部に伝達する連動レバーと
を有する請求項１に記載のミラーユニット。
【請求項３】
前記連動レバーは、前記ミラー部材が前記撮影位置に到達する直前に前記シャッタリリース部に当接する請求項２に記載のミラーユニット。
【請求項４】
前記連動レバーは、前記駆動レバーに対して回転自在な回転部材に係合して前記駆動レバーに連結される請求項２または請求項３に記載のミラーユニット。
【請求項５】
前記駆動レバーの回動軸と、前記連動レバーの回動軸と、前記回転部材の回転軸が、共通な面に互いに平行に配列される請求項４に記載のミラーユニット。
【請求項６】
請求項１から請求項５までのいずれか一項に記載のミラーユニットと、光学部材を通じて入射した像光を撮像する撮像素子とを備える撮像装置。
【請求項７】
前記撮影位置において前記ミラー部材に当接して前記ミラー部材を位置決めする位置決め部を更に備え、駆動中の前記ミラー駆動部は、前記ミラー部材が前記撮影位置に到達する前に前記シャッタの機械的な係止を解放する前記シャッタリリース部を押し動かす請求項６に記載の撮像装置。
【発明の詳細な説明】
【技術分野】
【０００１】
本発明は、ミラーユニットおよび撮像装置に関する。
【背景技術】
【０００２】
一眼レフカメラのミラーユニットにおいて、可動ミラーが像光の光路から退避して撮影位置に到達して停止する場合には振動、音等を生じる。この振動、音等を抑制する目的で、可動ミラーの駆動機構にエアダンパ等の緩衝装置を設けることが提案されている（特許文献１参照）。
［特許文献１］特公昭５８−０５３３２３号公報
【発明の概要】
【発明が解決しようとする課題】
【０００３】
部品点数および製造工数を増加させることなく、ミラーユニットの振動、音の発生を抑制することが望まれている。
【課題を解決するための手段】
【０００４】
本発明の第一態様として、観察位置と撮影位置との間を往復回動するミラー部材と、ミラー部材を観察位置から撮影位置まで駆動するとともに、駆動中にミラー部材が撮影位置に到達する前に、シャッタの機械的な係止を解放するシャッタリリース部を押し動かすミラー駆動部とを備えるミラーユニットが提供される。
【０００５】
また、本発明の第二態様として、上記ミラーユニットと、光学部材を通じて入射した像光を撮像する撮像素子とを備える撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラ１００の断面図である。
【図２】一眼レフカメラ１００の部分切欠き図である。
【図３】ミラー駆動部５００の側面図である。
【図４】ミラー駆動部５００の側面図である。
【図５】ミラー駆動部５００の側面図である。
【図６】ミラー駆動部５００の側面図である。
【図７】ミラー駆動部５０１の側面図である。
【発明を実施するための形態】
【０００８】
下記に、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、一眼レフカメラ１００の模式的な断面図である。一眼レフカメラ１００は、レンズユニット２００およびカメラボディ３００を含む。
【００１０】
レンズユニット２００は、固定筒２１０、レンズ２２０、２３０、２４０、鏡筒ＣＰＵ２５０およびレンズマウント２６０を有する。固定筒２１０の一端には、レンズマウント２６０が設けられる。レンズマウント２６０は、カメラボディ３００のボディマウント３６０と嵌合して、レンズユニット２００をカメラボディ３００に結合する。
【００１１】
レンズマウント２６０およびボディマウント３６０の結合は特定の操作により解除できる。よって、同じ規格のレンズマウント２６０を有する他のレンズユニット２００をカメラボディ３００に装着できる。
【００１２】
なお、以降の説明において、一眼レフカメラ１００において、カメラボディ３００に対してレンズユニット２００が装着されている側を「前」と記載する。また、カメラボディ３００においてレンズユニット２００が装着されている側の反対側を「後」と記載する。
【００１３】
レンズユニット２００において、レンズ２２０、２３０、２４０は、固定筒２１０の内側において光軸Ｘに沿って配列されて光学系を形成する。レンズ２２０、２３０、２４０の一部または全部は、光軸Ｘに沿って移動する。これにより、光学系の焦点距離および焦点位置が変化する。
【００１４】
鏡筒ＣＰＵ２５０は、レンズユニット２００自体の制御を司ると共に、カメラボディ３００の本体ＣＰＵ３２２との通信も担う。これにより、カメラボディ３００に装着されたレンズユニット２００は、カメラボディ３００と連携して動作する。
【００１５】
カメラボディ３００においては、ボディマウント３６０を挟んでレンズユニット２００の反対側にミラーユニット４００が配される。ミラーユニット４００の上方にはフォーカシングスクリーン３４６が水平に配される。
【００１６】
フォーカシングスクリーン３４６の更に上方にはペンタプリズム３４４が、ペンタプリズム３４４の後方にはファインダ光学系３４２が、それぞれ配される。ファインダ光学系３４２の後端は、カメラボディ３００の背面にファインダ３４０として露出する。
【００１７】
カメラボディ３００において、ミラーユニット４００の後方には、シャッタユニット６００、光学フィルタ３７２および撮像素子３７０が順次配される。シャッタユニット６００は、個別に開閉する先幕および後幕を有し、撮像素子３７０の直前にフォーカルプレンシャッタを形成する。
【００１８】
光学フィルタ３７２は、撮像素子３７０の直前に設置され、撮像素子３７０に入射する被写体光束から赤外線および紫外線を除去する。また、光学フィルタ３７２は、撮像素子３７０の表面を保護する。更に、光学フィルタ３７２は、ローパスフィルタとして被写体光束の空間周波数を減じる。これにより、撮像素子３７０のナイキスト周波数を越える空間周波数を有する被写体光束が撮像素子３７０に入射した場合にモアレの発生が抑制される。
【００１９】
光学フィルタ３７２の背後に配される撮像素子３７０は、ＣＣＤセンサ、ＣＭＯＳセンサなどの光電変換素子により形成される。撮像素子３７０の更に背後には、主基板３２０、背面表示部３３０が順次配される。主基板３２０には、本体ＣＰＵ３２２および画像処理部３２４等が実装される。背面表示部３３０は、液晶表示板等により形成され、カメラボディ３００の背面に露出する。
【００２０】
ミラーユニット４００は、メインミラー保持枠４１０およびメインミラー４２０を有する。メインミラー保持枠４１０は、メインミラー４２０を保持しつつ、メインミラー回動軸４３０により後端側を軸支される。また、メインミラー保持枠４１０の側面には、紙面に対して手前側に突出したミラー駆動ピン４９０が設けられる。
【００２１】
ミラーユニット４００は、サブミラー保持枠４５０およびサブミラー４６０も有する。サブミラー保持枠４５０は、サブミラー４６０を保持しつつ、サブミラー回動軸４７０によりメインミラー保持枠４１０から軸支される。
【００２２】
これにより、サブミラー４６０は、メインミラー保持枠４１０に対して回動する。メインミラー保持枠４１０が回動した場合、サブミラー４６０およびサブミラー保持枠４５０はメインミラー保持枠４１０と共に移動しつつ、メインミラー保持枠４１０に対して回動する。
【００２３】
ミラーユニット４００において、メインミラー保持枠４１０の前端が位置決めピン４４０に当接している場合、メインミラー４２０は観察位置に位置決めされる。観察位置にあるメインミラー４２０は、レンズユニット２００の光学系を通じて入射した像光の光軸Ｘを斜めに横切る。
【００２４】
観察位置にあるメインミラー４２０に入射した像光の一部は、メインミラー４２０の一部に形成されたハーフミラー領域を透過してサブミラー４６０に入射する。サブミラー４６０に入射した被写体光の一部は、合焦光学系３９０に向かって反射され、やがて、合焦位置センサ３９２に入射する。
【００２５】
合焦位置センサ３９２は、レンズユニット２００の光学系におけるデフォーカス量を検出して、本体ＣＰＵ３２２に通知する。本体ＣＰＵ３２２は、鏡筒ＣＰＵ２５０と通信して、検知されたデフォーカス量を打ち消すように、レンズ２２０、２３０、２４０のいずれかを移動させる。こうして、レンズユニット２００は、撮像素子３７０の撮像面に被写体像を結ぶべく合焦する。
【００２６】
また、観察位置にあるメインミラー４２０は、被写体光束の大半をフォーカシングスクリーン３４６に向かって反射する。フォーカシングスクリーン３４６は、撮像素子３７０の撮像面と光学的に共役な位置に配され、レンズユニット２００の光学系が形成した被写体像を可視化する。
【００２７】
フォーカシングスクリーン３４６に結ばれた被写体像は、ペンタプリズム３４４およびファインダ光学系３４２を通じてファインダ３４０から観察される。ペンタプリズム３４４を通じた被写体像は、ファインダ３４０から正立正像として観察される。
【００２８】
ペンタプリズム３４４から射出される被写体光束の一部は、ファインダ光学系３４２の上方に配された測光センサ３５０に受光される。カメラボディ３００のレリーズボタンが半押し状態になると、測光センサ３５０は、受光した入射光束の一部から被写体輝度を検出する。
【００２９】
本体ＣＰＵ３２２は、検出された被写体輝度に応じて、絞り値、シャッタ速度、ＩＳＯ感度等の撮像条件を算出する。これにより、一眼レフカメラ１００は、適切な撮影条件で被写体を撮影できる状態になる。
【００３０】
一眼レフカメラ１００においてレリーズボタンが押された場合、メインミラー保持枠４１０はメインミラー４２０と共に図中時計回りに回動する。回動したメインミラー保持枠４１０は、ミラーユニット４００の上方に配された緩衝部材４８０に当接して、撮影位置に略水平に停止する。緩衝部材４８０は、弾性を有する材料で形成された位置決め部材であり、メインミラー保持枠４１０が当接した場合の衝撃を緩和する。こうして、メインミラー４２０は、レンズユニット２００の光学系を通じて入射した被写体光束の光路から退避する。
【００３１】
メインミラー４２０が撮影位置に向かって回動する場合、サブミラー保持枠４５０も、メインミラー保持枠４１０と共に上昇すると共に、サブミラー回動軸４７０の回りに回動して、撮影位置において略水平に停止する。これにより、サブミラー４６０も、被写体光束の光路から退避する。
【００３２】
メインミラー４２０およびサブミラー４６０が撮影位置に移動して停止すると、カメラボディ３００においてはシャッタユニット６００の先幕が開いて画枠が開放される。これにより、レンズユニット２００の光学系を通じて入射した入射光束は、光学フィルタ３７２を透過して撮像素子３７０に受光される。
【００３３】
撮影が完了すると、シャッタユニット６００において後幕が画枠を遮蔽し、メインミラー４２０およびサブミラー４６０は再び観察位置に復帰する。このように、メインミラー４２０およびサブミラー４６０は、観察位置と撮影位置との間を往復回動する。
【００３４】
図２は、一眼レフカメラ１００の部分切欠き図であり、ミラーユニット４００およびその周辺の構造が現れている。図１と共通の要素には同じ参照番号を付して重複する説明を省く。
【００３５】
ミラーユニット４００の側面には、ミラー駆動部５００が配される。ミラー駆動部５００は、光軸Ｘと平行な垂直面に対して略平行、即ち、図１の紙面と平行に配されたミラーアップレバー５１０、ミラーアップばね５２０、連結コロ５３０および連動レバー５４０を含む。
【００３６】
ミラーアップレバー５１０は、メインミラー回動軸４３０と平行な回動軸の回りに回動可能に配される。また、ミラーアップレバー５１０は、ミラーアップばね５２０の収縮力により、図中時計回りに回動すべく付勢されている。
【００３７】
連動レバー５４０も、メインミラー回動軸４３０と平行な回動軸の回りに回動可能に配される。連動レバー５４０の一端は、連結コロ５３０を介してミラーアップレバー５１０に連結される。よって、ミラーアップレバー５１０が回動した場合は、連動レバー５４０も回動する。連動レバー５４０の他端は、カメラボディ３００の後方に向かって延在する。
【００３８】
ミラーユニット４００の後方には、シャッタユニット６００が配される。シャッタユニット６００は、メインミラー４２０の後方に配されたシャッタ羽根を駆動して、シャッタフレーム６１０に形成された画枠６１２を光学的に開放または遮蔽する。
【００３９】
シャッタユニット６００は、光軸Ｘと直交するシャッタフレーム６１０に支持されたメカニカルラッチリリースレバー６２０、先幕駆動部６３０および後幕駆動部６４０を含む。先幕駆動部６３０および後幕駆動部６４０はそれぞれ、電磁ラッチ６３２、６４２、シャッタリリースレバー６３４、６４４およびシャッタ幕駆動レバー６３６、６４６を有する。
【００４０】
シャッタユニット６００がチャージされる場合、シャッタ幕駆動レバー６３６、６４６は、それぞれの駆動ばねの付勢力に抗して引き上げられる。これにより、先幕は画枠６１２を遮蔽し、後幕は画枠６１２の図中上側に畳まれる。
【００４１】
シャッタ幕駆動レバー６３６、６４６が駆動バネの付勢力に抗してチャージされた状態は、メカニカルラッチリリースレバー６２０に連動するメカニカルラッチでシャッタ幕駆動レバー６３６、６４６を機械的に係止することによって維持できる。メカニカルラッチリリースレバー６２０は、図中右端に形成された作動部６２２を押し下げることにより、シャッタ幕駆動レバー６３６、６４６を同時に解放する。
【００４２】
シャッタ幕駆動レバー６３６、６４６が駆動バネの付勢力に抗してチャージされた状態は、電磁ラッチ６３２、６４２に駆動電流を流してシャッタリリースレバー６３４、６４４を吸着することによっても維持できる。一対の電磁ラッチ６３２、６４２は、駆動電流の供給を個別に遮断できるので、シャッタ幕駆動レバー６３６、６４６を異なるタイミングで解放できる。
【００４３】
上記のようなシャッタユニット６００は、まず、メカニカルラッチリリースレバー６２０に連動したメカニカルラッチによりシャッタのチャージ状態を維持する。撮像素子３７０を露光するタイミングが近づいた場合は、まず、電磁ラッチ６３２、６４２に駆動電流を供給して電磁ラッチ６３２、６４２によるチャージ状態の維持を開始する。
【００４４】
次いで、メカニカルラッチリリースレバー６２０を操作してメカニカルラッチを解放する。更に、本体ＣＰＵ３２２からの指令に従って、先幕を係止した電磁ラッチ６３２と、後幕を係止した電磁ラッチ６４２とを順次解放する。これにより、電磁ラッチ６３２、６４２による電力消費を抑制しつつ、シャッタ幕駆動レバー６３６、６４６リリースのタイミングを精度よく制御できる。
【００４５】
先幕駆動部６３０において、電磁ラッチ６３２から解放されたシャッタ幕駆動レバー６３６は、駆動ばねの付勢力によりシャッタ羽根を畳んで画枠６１２を開放する。これにより、撮像素子３７０の露光が開始される。後幕駆動部６４０において、電磁ラッチ６４２から解放されたシャッタ幕駆動レバー６４６は、駆動ばねの付勢力によりシャッタ羽根を拡げて画枠６１２を遮蔽する。これにより、撮像素子３７０の露光が終了する。
【００４６】
図３は、ミラー駆動部５００の模式的側面図であり、メインミラー４２０が観察位置にある状態を示す。図示の状態は、ミラー駆動部５００およびシャッタユニット６００がいずれもチャージされて、一眼レフカメラ１００が撮影に備えて待機する状態に対応する。
【００４７】
図３には、ミラー駆動部５００により駆動されるメインミラー保持枠４１０と、メインミラー保持枠４１０に軸支されるサブミラー保持枠４５０も併せて示す。また、撮影位置においてメインミラー保持枠４１０が当接する緩衝部材４８０も併せて示す。図１および図２と共通の要素には同じ参照番号を付して重複する説明を省く。ミラー駆動部５００は、ミラーアップレバー５１０、ミラーアップばね５２０、連結コロ５３０、連動レバー５４０および駆動コロ５５０を有する。
【００４８】
ミラーアップレバー５１０は、レバー回動軸５１２の回りに回動可能に取り付けられ、レバー回動軸５１２から遠ざかる方向に延在する被駆動部５１４、被係止部５１６およびコロ支持部５１８を有する。被駆動部５１４は、ミラーアップばね５２０の作用端５２４が結合される。ミラーアップばね５２０の固定端５２２は、ミラーユニット４００において変位しない場所に結合される。
【００４９】
ミラーアップばね５２０は、ミラーアップレバー５１０をレバー回動軸５１２の回りに反時計回りに回転させることにより、自由長よりも長く伸ばした状態にチャージされる。チャージされたミラーアップばね５２０によりミラーアップレバー５１０が時計回りに付勢された状態は、ミラーアップレバー５１０の被係止部５１６に係合されたミラーアップ係止レバー５１１により保持される。
【００５０】
ミラーアップレバー５１０のコロ支持部５１８の先端には、駆動コロ５５０が配される。駆動コロ５５０は、コロ回転軸５５２の回りに回転自在に軸支される。よって、駆動コロ５５０をミラー駆動ピン４９０に押し付けた場合に、押圧方向の力は伝わるが、摺動抵抗は生じない。
【００５１】
ミラーアップレバー５１０において、被係止部５１６およびコロ支持部５１８の間には、連結コロ５３０が配される。連結コロ５３０は、コロ回転軸５３２の回りに回転自在に軸支される。よって、連結コロ５３０を連動レバー５４０に係合させた場合に、連結コロ５３０の変位方向の力は伝わるが摺動抵抗は低減される。
【００５２】
上記のようなミラーアップレバー５１０が、ミラーアップ係止レバー５１１の係止から解放された場合、ミラーアップレバー５１０は、ミラーアップばね５２０の収縮力により、レバー回動軸の回りに図中時計方向に回動する方向に付勢される。また、連結コロ５３０および駆動コロ５５０は、ミラーアップレバー５１０の回動に伴って変位する。
【００５３】
連動レバー５４０は、レバー回動軸５４２の回りに回動可能に取り付けられる。また、連動レバー５４０は、ミラーアップレバー５１０のレバー回動軸５１２に向かって延伸する連結部５４４と、略水平にカメラボディ３００の後方に向かって延伸する作用部５４６とを有する。
【００５４】
連結部５４４の図中下端は、連結コロ５３０の外周に倣った形状を有して連結コロ５３０に係合する。これにより、連結コロ５３０が、連結部５４４の内側に当接する方向に変位する場合は、その変位により連動レバー５４０を、レバー回動軸５４２の回りに回動させる。ここで、ミラーアップレバー５１０が図中時計回りに回動した場合、連動レバー５４０は図中反時計回りに回動する。
【００５５】
作用部５４６は、先端近傍の下面に押し下げ部５４８を有する。上記のように、ミラーアップレバー５１０の図中時計回りの回動により連動レバー５４０が図中反時計回りに回動した場合、押し下げ部５４８は下方に降下する。押し下げ部５４８の下方には、メカニカルラッチリリースレバー６２０の作動部６２２が配される。
【００５６】
なお、図示のようにミラー駆動部５００がチャージされた状態において、レバー回動軸５１２、コロ回転軸５３２およびレバー回動軸５４２が、直線状の一点鎖線Ｐの近傍に配列された状態になる。これにより、ミラーアップばね５２０の付勢力により生じた力量は、連動レバー５４０まで効率よく伝達される。
【００５７】
図４は、ミラー駆動部５００の側面図であり、観察位置にあったメインミラー４２０が、撮影位置に向かって移動し始めた状態を示す。図３と共通の要素には同じ参照番号を付して重複する説明を省く。
【００５８】
レリーズボタンが押し下げられて一眼レフカメラ１００による撮影が開始されると、ミラー駆動部５００において、図中に矢印Ｍ０で示すように、ミラーアップ係止レバー５１１が回動する。これにより、ミラーアップレバー５１０の被係止部５１６が解放され、ミラーアップばね５２０の付勢力により、図中に矢印Ｍ１で示すように、ミラーアップレバー５１０がレバー回動軸５１２の回りを図中時計回りに回動し始める。
【００５９】
ミラーアップレバー５１０が図中時計回りに回動すると、駆動コロ５５０は図中で上昇し始め、やがてミラー駆動ピン４９０に当接してこれを押し上げる。これにより、メインミラー保持枠４１０は、ミラーアップばね５２０の付勢力によりミラーアップレバー５１０に生じた駆動力を伝えられ、メインミラー回動軸４３０の回りを、矢印Ｍ２で示すように図中反時計回りに回動し始める。
【００６０】
また、ミラーアップレバー５１０の回動に伴って、連結コロ５３０は略水平に変位し、これにより、連動レバー５４０は、矢印Ｍ３で示すように、レバー回動軸５４２の回りを図中反時計回りに回動する。これにより、連動レバー５４０の押し下げ部５４８は図中下方に変位する。
【００６１】
なお、メインミラー保持枠４１０の回動に伴って、サブミラー保持枠４５０は、メインミラー保持枠４１０に連れ従って上昇する。また、サブミラー保持枠４５０は同時に、サブミラー回動軸４７０の回りに回動する。これにより、サブミラー保持枠４５０は、最終的にメインミラー保持枠４１０に寄り添った状態で畳まれるが、図示の段階では、まだ殆ど回動していない。
【００６２】
図５は、ミラー駆動部５００の側面図であり、観察位置から回動しつつあるメインミラー４２０が、撮影位置に到達する直前の状態を示す。図３および図４と共通の要素には同じ参照番号を付して重複する説明を省く。
【００６３】
この状態では、ミラーアップレバー５１０は、ミラーアップばね５２０の付勢力により依然としてレバー回動軸５１２の回りを矢印Ｍ１の方向に回動し続けている。よって、駆動コロ５５０は上昇し続けて、ミラー駆動ピン４９０を押し上げる。これにより、メインミラー保持枠４１０も、メインミラー回動軸４３０の回りを、矢印Ｍ２で示すように図中反時計回りの回動を継続している。
【００６４】
回動したメインミラー保持枠４１０の先端は緩衝部材４８０の直下に迫っており、メインミラー保持枠４１０は、略水平になっている。また、サブミラー保持枠４５０は、メインミラー保持枠４１０の下面に沿って畳まれている。
【００６５】
また、ミラーアップレバー５１０の回動に伴って、連結コロ５３０は略水平に変位し、これにより、連動レバー５４０は、レバー回動軸５４２の回りを矢印Ｍ３で示すように図中反時計回りに回動する。これにより、連動レバー５４０の押し下げ部５４８は降下して、メカニカルラッチリリースレバー６２０の作動部６２２の上面に当接する。
【００６６】
続いて、押し下げ部５４８は更に降下し、やがて作動部６２２を下方に押し動かす。押し下げによる作動部６２２の変位により、シャッタユニット６００のメカニカルラッチが開放される。よって、シャッタユニット６００では、電磁ラッチ６３２、６３２の制御によりシャッタ幕を開放または閉塞できる状態になる。
【００６７】
このように、連動レバー５４０は、ミラーアップレバー５１０と連動して、ミラーアップレバー５１０の駆動力の一部を、メカニカルラッチリリースレバー６２０に伝達する。よって、ミラーアップばね５２０によりミラーアップレバー５１０に生じた運動量の一部は、連動レバー５４０を通じて押し下げたメカニカルラッチリリースレバー６２０の作動部６２２に渡される。このため、ミラーアップレバー５１０自体の回動に係る運動量は減じられ、ミラーアップレバー５１０の回動速度は低減される。
【００６８】
なお、連動レバー５４０が作動部６２２を押し下げた時点では、メインミラー保持枠４１０は既に撮影位置の直近に達している。よって、回動速度が低減されたことにより、メインミラー保持枠４１０の撮影位置への到達遅れは殆ど生じない。
【００６９】
図６は、ミラー駆動部５００の側面図であり、メインミラー４２０が、撮影位置に到達した状態を示す。図３から図５までと共通の要素には同じ参照番号を付して重複する説明を省く。
【００７０】
ミラーアップレバー５１０に駆動されたメインミラー４２０が撮影位置に到達すると、メインミラー保持枠４１０の先端が緩衝部材４８０に当接して停止する。このように、ミラー駆動部５００は、メインミラー４２０を撮影位置に到達するまで駆動し続ける。また、緩衝部材４８０は、メインミラー４２０を撮影位置に位置決めする。
【００７１】
ここで、ミラーアップレバー５１０は、メインミラー保持枠４１０が緩衝部材４８０に衝突する直前に、メカニカルラッチリリースレバー６２０の作動部６２２を押し上げる仕事をした。よって、ミラーアップレバー５１０の回動に係る運動量の一部はメカニカルラッチリリースレバー６２０に渡されており、メインミラー保持枠４１０の回動速度は減速されている。これにより、緩衝部材４８０に衝突したメインミラー保持枠４１０が受ける衝撃が緩和され、衝撃に起因するミラーユニット４００の振動および音が抑制される。
【００７２】
なお、停止した状態においても、ミラー駆動部５００においては、レバー回動軸５１２、コロ回転軸５３２およびレバー回動軸５４２が、直線状の一点鎖線Ｐの近傍に配列された状態になる。このように、ミラー駆動部５００の全動作期間を通じて、レバー回動軸５１２、コロ回転軸５３２およびレバー回動軸５４２が直線状に配置されるので、ミラーアップばね５２０の付勢力により生じた力量が、連動レバー５４０まで効率よく伝達される。
【００７３】
図７は、他のミラー駆動部５０１の模式的側面図である。図７は、観察位置から撮影位置に向かって回動するメインミラー保持枠４１０が、図５に示した状態と同様に、撮影位置の直前を通過する状態を示す。ミラー駆動部５０１は、下記に説明する部分を除くと、図６までに示したミラー駆動部５００と同じ構造を有する。よって、共通の要素には同じ参照番号を付して重複する説明を省く。
【００７４】
ミラー駆動部５０１は、ミラー駆動部５００における連結コロ５３０および連動レバー５４０が省かれている。それらに換えて、ミラーアップレバー５１０の形状が変更されている。即ち、ミラー駆動部５０１においては、ミラーアップレバー５１０のコロ支持部５１８が駆動コロ５５０の外側まで延伸された延伸部５１７を有する。延伸部５１７の先端は、上方に伸びて押し上げ部５１９を形成する。
【００７５】
なお、ミラー駆動部５０１と連動するシャッタユニットにおいては、メカニカルラッチリリースレバー６２０仕様が異なっている。即ち、メカニカルラッチリリースレバー６２０は、作動部６２３が図中上方に押し上げられた場合に、メカニカルラッチを解放する構造を有する。
【００７６】
ミラー駆動部５０１において、チャージされたミラーアップレバー５１０がミラーアップ係止レバー５１１による係止から解放されて図中時計回りに回動した場合、駆動コロ５５０と共に、押し上げ部５１９が上方に変位する。これにより、メカニカルラッチリリースレバー６２０の作動部６２３が押し上げられ、メカニカルラッチが解放される。
【００７７】
また、押し上げ部５１９が作動部６２３を押し上げることにより、ミラーアップレバー５１０が回動する運動量の一部が、メカニカルラッチリリースレバー６２０の作動部６２３を押し上げる運動に渡される。よって、ミラーアップレバー５１０の回動が減速される。
【００７８】
これにより、図示の状態の後に、メインミラー保持枠４１０の先端が撮影位置に到達して、緩衝部材４８０に衝突して停止する場合に生じる衝撃が緩和される。よって、メインミラー保持枠４１０が撮影位置に到達して停止する場合にミラーユニット４００が生じる振動および音が抑制される。
【００７９】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８０】
１００  一眼レフカメラ、２００  レンズユニット、２１０  固定筒、２２０、２３０、２４０  レンズ、２５０  鏡筒ＣＰＵ、２６０  レンズマウント、３００  カメラボディ、３２０  主基板、３２２  本体ＣＰＵ、３２４  画像処理部、３３０  背面表示部、３４０  ファインダ、３４２  ファインダ光学系、３４４  ペンタプリズム、３４６  フォーカシングスクリーン、３５０  測光センサ、３６０  ボディマウント、３７０  撮像素子、３７２  光学フィルタ、３９０  合焦光学系、３９２  合焦位置センサ、４００  ミラーユニット、４１０  メインミラー保持枠、４２０  メインミラー、４３０  メインミラー回動軸、４４０  位置決めピン、４５０  サブミラー保持枠、４６０  サブミラー、４７０  サブミラー回動軸、４８０  緩衝部材、４９０  ミラー駆動ピン、５００、５０１  ミラー駆動部、５１０  ミラーアップレバー、５１１  ミラーアップ係止レバー、５１２、５４２  レバー回動軸、５１４  被駆動部、５１６  被係止部、５１７  延伸部、５１８  コロ支持部、５１９  押し上げ部、５２０  ミラーアップばね、５２２  固定端、５２４  作用端、５３０  連結コロ、５３２、５５２  コロ回転軸、５４０  連動レバー、５４４  連結部、５４６  作用部、５４８  押し下げ部、５５０  駆動コロ、６００  シャッタユニット、６１０  シャッタフレーム、６１２  画枠、６２０  メカニカルラッチリリースレバー、６２２、６２３  作動部、６３０  先幕駆動部、６３２、６４２  電磁ラッチ、６３４、６４４  シャッタリリースレバー、６３６、６４６  シャッタ幕駆動レバー、６４０  後幕駆動部
【図１】
2013083857.tif 000003
【図２】
2013083857.tif 000004
【図３】
2013083857.tif 000005
【図４】
2013083857.tif 000006
【図５】
2013083857.tif 000007
【図６】
2013083857.tif 000008
【図７】
2013083857.tif 000009